(57)【要約】【課題】本発明は、複数併設される給紙装置で扱う多様な被給送物を対象として、給送動作安定化に係る積層された被給送物の分離を確実とする紙捌き圧の初期設定もしくは調整の高精度・簡便化を目的とする。【解決手段】本発明に成る丁合機の給紙装置は、複数の各給紙装置に、夫々の給送対象となる被給送物をセットすることで紙捌き圧の初期設定もしくは調整を行うため、紙捌き部に連係する調整軸と、該調整軸の端部に保持されたカップ状導体部材およびこの内周面に小空隙を介して対向し回転自在に保持された円筒状永久磁石と、該永久磁石を転回駆動する回転数制御自在のＤＣモータとより成る紙捌き圧調整機構と共に、前記調整軸の他端の手動調整用つまみを備えるように構成されている。【選択図】        図１
2004203536.tif 000002
【特許請求の範囲】
【請求項１】
広告チラシ等被給送物を丁合するために、複数セット併設・搭載される丁合機の給紙装置において、各給紙装置に、夫々の給送対象となる被給送物を供給することで、全給紙装置の紙捌き圧の初期設定もしくは任意の調整を行うことの出来る紙捌き圧調整機構を備えること、を特徴とする丁合機の給紙装置。
【請求項２】
前記紙捌き圧調整機構が、紙捌き部に連係する調整軸と、該調整軸の端部に保持されたカップ状導体部材と、該カップ状導体部材の内周面に小空隙を介して対向し回転自在に保持された円筒状永久磁石と、該円筒状永久磁石を転回駆動するＤＣモータとより成ること、を特徴とする請求項１に記載の丁合機の給紙装置。
【請求項３】
前記調整軸の他端に、手動調整つまみが設けられていること、を特徴とする請求項２に記載の丁合機の給紙装置。
【請求項４】
前記ＤＣモータが、可逆回転・変速自在に制御する制御回路を備えること、を特徴とする請求項２もしくは３に記載の丁合機の給紙装置。
【発明の詳細な説明】
【０００１】
【発明の属する技術分野】
本発明は、丁合機等に搭載される給紙装置の、積層された被給送物の分離・給送性能の改良に関する。
【０００２】
【従来の技術】
【特許文献１】発明の名称；給紙装置
特開平１１−０４９３９３号公報
【０００３】
本願発明に係る丁合機等に搭載される給紙装置は、給送の信頼性を高める手段として種々の改良が試みられており、詳細は省くが特許文献１に見る提案もその一例である。
【０００４】
【発明が解決しようとする課題】
上述の如き従来の構成は、多様な被給送物を対象としての、給送動作安定化にかかる分離を確実とする紙捌き圧の初期設定に関し精度・煩雑さの面で、問題を残しているのが実態であった。
【０００５】
【課題を解決するための手段】
本発明に成る丁合機の給紙装置は、複数が併設・搭載される各給紙装置に、夫々の給送対象となる被給送物をセットすることで紙捌き圧の初期設定もしくは調整を行う紙捌き圧調整機構を備え、該紙捌き圧調整機構が、紙捌き部に連係する調整軸と、該調整軸の端部に保持されたカップ状導体部材と、該カップ状導体部材の内周面に小空隙を介して対向し回転自在に保持された円筒状永久磁石と、該円筒状永久磁石を転回駆動するＤＣモータとを有し、
【０００６】
前記調整軸の他端に、手動調整用つまみが設けられ、前記ＤＣモータが、可逆回転・変速自在に制御する制御回路を備えるように構成されている。
【０００７】
【実施例】
以下図面によって本発明の実施例を説明する。
【０００８】
図３は本発明に係る給紙装置の紙捌き機構部の説明図で、給紙トレイ２に積載されたチラシ等の被給送物（図示せず）が、給紙ローラ４とこれと連動する補助給紙ローラ３とで移送され、前記給紙ローラ４と対向配置される紙捌き板８−２とにより単位状態に分離されるように構成されるもので、被給送物の単位状態への分離を確実にして、安定した給送・丁合を実現する手段として、上述紙捌き部を形成する紙捌き板８−２が取付台８−１と共に捌き台８−３に保持され、該捌き台８−３の背面に設けられた転動自在のスチールボール８−４を介して移動可能な傾斜板８−５に当接し、該傾斜板８−５が別途配置される調整機構により移動することで、上述給紙ローラ４と紙捌き板８−２との隙間を可変して、介挿される被給送物への圧力を調整するように構成されているが、該該構成については上述公知文献１を含め周知のものである。
【０００９】
図１及び図２は、本願発明に係る上述給紙ローラ４と紙捌き板８−２との隙間の調整手段として、紙捌き圧の調整機構を形成する紙捌き部８と、該紙捌き圧調整のために併設され、当該丁合機の稼動に先行もしくは稼動中での調整に供される紙捌き圧調整機構１８との連係についての説明図である。
【００１０】
紙捌き圧調整に係る、紙捌き部８の給紙ローラ４と紙捌き板８−２との隙間を可変する手段は、上述従来技術に見られ図示もする、スライドラック６とこれに連係する傾斜板５の移動に限定されるものではないが、図示のスライドラック６は、その先端近傍でラックピニオン７と連結歯車９を介して調整軸１１に連係している。
【００１１】
そして、上述調整軸１１の一端に手動操作つまみ１０が設けられ前記紙捌き圧の調整が手動操作できることは、従来周知の構成である。
【００１２】
本願発明の主体は、図に見るように上述調整軸１１の他端側に設けられる電動式紙捌き圧調整機構１８の付加・併設である。
【００１３】
該紙捌き圧調整機構１８は、前記調整軸１１の他端に保持されるカップ状導体部材１３と、当該調整軸１１と同軸上に配置されるＤＣモータ１５と、該ＤＣモータ１５の出力軸に固定され、その外周面が前記カップ状導体部材１３の内周面に小空隙を介して対向し、互いに転回自在に保持されその外周面が多極磁化された円筒状永久磁石１２とで構成される。
【００１４】
当該ＤＣモータが、可逆回転・変速自在に制御する制御回路を備え、前記円筒状永久磁石の転回駆動により、該円筒状永久磁石に対向配置されるカップ状導体部材への電磁誘導により、カップ状導体部材１３に渦電流が生じトルクが発生することは、磁気理論により周知のことで、本発明は、この発生トルクにより傾斜板８‐５の移動、従って給紙ローラ４と紙捌き板８−２との隙間ｄを制御しようとするものである。
【００１５】
給紙ローラ４と紙捌き板８−２の間に当該給紙装置１で扱う被給送物単体をセットした状態で、上述該紙捌き圧調整機構１８により、所望の隙間従って所望の給送摩擦力を設定することが出来るので、併設される多数台の給紙装置についても、任意に然も簡便に所望の紙捌き圧を設定もしくは修正・調整することが出来る。
【００１６】
【発明の効果】
本発明に成る丁合機の給紙装置は、多様な被給送物を対象としての、給送動作安定化にかかる分離を確実とする紙捌き圧の初期設定もしくは調整設定を、高精度で然も簡便に行う事が出来る。
【図面の簡単な説明】
【図１】本発明に成る給紙装置と紙捌き圧調整機構との連係を示す説明図である。
【図２】図１の例の側面図である。
【図３】本発明に係る給紙装置の構成を示す説明図である。
【符号の説明】
１        給紙装置
２        給紙トレイ
３        補助給紙ローラ
３−１    補助給紙ローラ軸
４        給紙ローラ
４−１    給紙ローラ軸
５        スライドホルダ
６        スライドラック
７        ラックピニオン
８        紙捌き部
８−１    取付台
８−２    紙捌き板
８−３    捌き台
８−４    スチールボール
８−５    傾斜板
９        連結歯車
１０        手動調整つまみ
１１        調整軸
１２        円筒状永久磁石
１３        カップ状導体部材
１４        ボス
１５        ＤＣモータ
１６        ブレーキ部
１７        極圧防止ばね
１８        紙捌き圧調整機構
【図１】
2004203536.tif 000003
【図２】
2004203536.tif 000004
【図３】
2004203536.tif 000005